(57)【要約】      （修正有）【課題】燃焼のための空気を室外の大気中から取り入れることができるロケットストーブにおいて、屋内で使用する場合を考慮して、簡便に外気を導入しうるようにすると共に、屋外での使用に際しては、取外しが容易なロケットストーブの外気導入装置を提供する。【解決手段】外気導入装置は、木質燃料を燃焼する焚き口１と、焚き口に下部を連通し断熱材で被覆した煙突からなるヒートライザー２と、ヒートライザーからガスを屋外の大気中に排出する排煙部４とからなるロケットストーブにおいて、焚き口を覆うように装着される筐体からなる外気導入ボックス５と、外気導入ボックスと屋外を連結し、屋外の空気を取り入れるダクト６からなる。【選択図】図１
0003208041.tif 000002
【実用新案登録請求の範囲】
【請求項１】
木質燃料を燃焼する焚き口と、この焚き口に下部を連通し断熱材で被覆した煙突からなるヒートライザーと、該ヒートライザーからガスを屋外の大気中に排出する排煙部とからなるロケットストーブにおいて、焚き口を覆うように装着される筐体からなる外気導入ボックスと、該外気導入ボックスと屋外を連結し、屋外の空気を取り入れるダクトからなることを特徴とするロケットストーブの外気導入装置。
【請求項２】
ダクトが連結される外気導入ボックス側の開口と、前記ダクトが連結される屋外側の開口の少なくともいずれか一方が、焚き口の上端よりも低い位置に配置されていることを特徴とする請求項１記載のロケットストーブの外気導入装置。
【請求項３】
外気導入ボックスが、焚き口に着脱自在に装着されることを特徴とする請求項１又は２記載のロケットストーブの外気導入装置。
【請求項４】
外気導入ボックスの上部に、焚き口に木質燃料を投入する投入口を設け、該投入口に開閉する扉を設けたことを特徴とする請求項１又は２記載のロケットストーブの外気導入装置。
【請求項５】
外気導入ボックスの背面に焚き口を装入する連結口を形成し、該連結口と焚き口との隙間を閉塞板で閉塞したことを特徴とする請求項１乃至４のいずれかに記載のロケットストーブの外気導入装置。
【請求項６】
ロケットストーブが、木質燃料を燃焼する焚き口を下部に連通したヒートライザーと、該ヒートライザーに連通し、排煙を行う排煙部と、ヒートライザーと排煙部の間に両者を連結する空間部を配設し、該空間部の内部若しくは上部で調理を行い得るようにしたロケットストーブであることを特徴とする請求項１乃至５のいずれかに記載のロケットストーブの外気導入装置。
【考案の詳細な説明】
【技術分野】
【０００１】
この考案は、断熱した煙突からなるヒートライザーで、空気の吸い込みを図り、燃焼効率を向上させ、高温の燃焼空気を生成させるようにしたロケットストーブの外気導入装置に関する。
【背景技術】
【０００２】
従来、薪等の木質系燃料の燃焼を効率的に行い得るようにしたロケットストーブと称せられるロケット・マス・ヒーターは、公知である。ロケット・マス・ヒーターは、断熱材で被覆した煙突からなるヒートライザーを有し、煙突内を高温に保持し、長尺の煙突と同等の燃焼効率を達成しうるようにした燃焼装置であり、ヒートライザー内の煙突の下部に焚き口を連結し、ヒートライザーの外部の煙突の下部に排気用煙突が連結される。かかるロケットストーブは、熱効率が良好で、木質系燃料の種類が限定されない、焚き口からの横引きが可能で、煤煙が出ず、構造が簡単である等、種々の利点を有している。
【０００３】
【特許文献１】実用新案登録３１６５５１７号公報
【考案の概要】
【考案が解決しようとする課題】
【０００４】
従来のロケットストーブは、ロケットストーブを屋内に設置した場合、室内の空気消費が高くなり、酸欠状態を惹起したり、室内が負圧となって煙が逆流してくるおそれがあった。特に、近年の高気密、高断熱住宅では、酸欠による危険性に十分なる配慮が必要であった。この考案は、ロケットストーブを屋内で使用する場合を考慮して、簡便に外気を導入しうるようにすると共に、屋外での使用に際しては、外気導入装置の取外しを容易に可能としたものである。
【課題を解決するための手段】
【０００５】
この考案は、木質燃料を燃焼する焚き口を下部に連通したヒートライザーと、該ヒートライザーに連通し排煙を行う排煙部とを備えたロケットストーブであって、前記焚き口に焚き口を覆う外気導入ボックスを焚き口から分離可能に装着し、該外気導入ボックス内を屋外に連結して屋外から外気を導入するようにしたことを特徴とする。外気導入ボックスは、背面に設けられた連結口に焚き口を装入して焚き口を覆うように接続され、焚き口から着脱自在である。外気導入ボックスと屋外とをダクトで連結し、外気導入ボックス側のダクト連結口と、ダクトの屋外側開口のいずれか一方を、焚き口の上端よりも低い位置に配置する。外気導入ボックスには、焚き口への木質燃料の投入部と、焚き口から灰を掻き出す灰掻出部が設けられる。木質燃料の投入部には、燃料の燃焼状態を視認しうる耐熱性の透明部が設けられる。外気導入ボックスの連結口と焚き口部との隙間を、上部から差し込まれる隙間閉塞板で閉塞する。
【考案の効果】
【０００６】
この考案によれば、ロケットストーブの焚き口に所要の容積を有する外気導入ボックスを配設して焚き口全体を覆い、外気導入ボックスを屋外に連通して屋外から外気を導入するようにしてあるので、ロケットストーブの燃焼に際して室内の空気が消費されるのを防止でき、室内が酸欠状態となるのを防止することが出来ると共に、室内が負圧となって煙が逆流してくるのを防止することが出来る。
【０００７】
外気導入ボックスは、焚き口に分離可能に配設してあるので、室内での燃焼のためにロケットストーブを室内に配置した場合、容易に外気導入ボックスを取り付けることが出来ると共に、室内から屋外にロケットストーブを移動させる場合でも外気導入ボックスの分離が容易となり、ロケットストーブの室内での使用がきわめて便利となる。
【図面の簡単な説明】
【０００８】
【図１】この考案にかかる外気導入ボックスを配設したロケットストーブの外観斜視図
【図２】同側面図
【図３】外気導入ボックスの平面図
【図４】同正面図
【図５】同側面図
【図６】隙間閉塞板を取り付けた状態の外気導入ボックスの背面図
【図７】隙間閉塞板の斜視図
【図８】この考案にかかる外気導入ボックスを取り付けたロケットストーブを室内に配置した状態を示す斜視図
【考案を実施するための形態】
【実施例】
【０００９】
この考案の実施例を以下に詳細に説明する。図１、２を参照して、ロケットストーブは、焚き口(１)、ヒートライザー(２)、調理部(３)及び排煙部(４)とからなる。焚き口(１)は、上方に向ってラッパ状に開口した燃料投入口(10)と、燃料投入口(10)の下部をヒートライザー(２)に接続する横通路(11)とを備える。焚き口(１)には、外気導入ボックス(５)が装着され、覆われている。
【００１０】
ヒートライザー(２)は、断熱筒で断熱された内部煙突(20)からなり、その外部に外部煙突(21)が設けられ、両煙突(20)(21)は、上部で相互に連結されている。内部煙突(20)の下端に前記焚き口(１)の横通路(11)が連結される。
【００１１】
調理部(３)は、ヒートライザーの側面に連結された所要の容積の空間からなり、内部にオーブン(30)が着脱自在若しくは固定されて配置される。ヒートライザー(２)と調理部(３)は、隔壁で遮断され、隔壁の下部若しくは上下に両者(２)(３)を連通する通路が開口されている。オーブン(30)は、前面を扉(31)で開閉自在とした略方形の箱からなり、前面を除く上下面、背面及び左右側面は、調理部(３)内に露出しており、調理部を通過する高温の空気により加熱される。尚、調理部はかかる構造に限定されない。ヒートライザーの上部に連接して設けても良い。この場合、排煙部は、外部煙突の下部に連結される。又、調理部(３)は必須ではない。ヒートライザー(２)若しくは外部煙突(21)から直接排煙する構造のロケットストーブであっても良い。
【００１２】
排煙部(４)は、排煙筒(40)からなり、上端は屋外に延び出し、ヒートライザーから排出されるガスを屋外に排出する。排煙筒(40)と前記調理部(３)とは、略三角形の連結空間(41)を介して接続され、隔壁で遮蔽されると共に、隔壁の上下に開口された通路を介して相互に連通される。尚、隔壁の上部通路は外部から操作自在なダンパーで開閉自在としてもよい。
【００１３】
外部煙突(21)の上面は、好ましくは水平な平坦面に形成されており、この平坦面に鍋、釜、やかん等の調理器具を載置して内部を通過する高温の加熱空気による加熱を行うことが出来る。ヒートライザー(２)の上面に、開閉蓋を有する円形の開口を設けて、ヒートライザーの上部を開放して、上面に載置された調理器具を直接加熱しても良い。
【００１４】
外気導入ボックス(５)は、焚き口(１)全体を覆うことが出来る所要の容積の筐体からなり、図３に示すように上面に燃料投入扉(50)で開閉自在とした燃料投入口が設けられる。該燃料投入扉(50)には、耐熱ガラスを嵌め込んだ覗き窓(51)が形成され、焚き口(１)の燃焼状態を外部から視認することが出来る。又、外気導入ボックス(５)の前面下部には、焚き口(１)の灰を掻き出すための灰掻出口が扉(52)で開閉自在に設けられている。
【００１５】
図２、５に示すように、外気導入ボックス(５)の側面には、外気導入口(53)が開口され、蛇腹状のダクト(６)で屋外に連結されている。外気導入口(53)と、ダクト(６)の屋外側開口の少なくともいずれか一方を、前記焚き口(１)の上端よりも低い位置に配置して、ダクト(６)が煙突状態（逆流）とならないようする。外気導入口(53)は、外気導入ボックス(５)の側面下部に開口するが好ましいが、外気導入ボックス(５)の底面に形成しても良い。尚、ダクト(６)は蛇腹状に限定されず、例えば直管状でもよい。
【００１６】
図８に示すように、この考案のロケットストーブは、外気導入ボックス(５)と共に、耐熱性のレンガを敷いた床面(７)上にビス等で固定脚(12)を固定して載置されると共に、室内壁を保護するために耐熱性の遮蔽壁(８)を設ける。又、天井を保護するために、遮熱板(９)を天井付近に設置することが好ましい。尚、ロケットストーブを屋外で使用する際には、固定脚(12)をキャスターに付け替えることが好ましい。これにより屋外でのロケットストーブの移動が容易になる。
【００１７】
図６、７に示すように、外気導入ボックス(５)は、背面に形成された連結口(54)から焚き口(１)を装入し、焚き口(１)を外気導入ボックス(５)で覆う。(55)は、連結口(54)と焚き口(１)の隙間を塞ぐための隙間閉塞板であり、開口(56)を介して外気導入ボックス(５)とロケットストーブの外面との間に上方から挿入され、フランジ(57)を外気導入ボックス(５)の上面に固定して取り付ける。隙間閉塞板(55)により、外気導入ボックス(５)と焚き口(１)との隙間を少なくすることが出来、隙間からの室内空気の吸引や煙の流出を抑制することが可能となる。
【００１８】
外気導入ボックス(５)の燃料投入扉(50)を開いて、焚き口(１)の燃料投入口(10)に薪を投入し点火すると、燃焼空気は横通路(11)を通って内部煙突(20)の下部から内部煙突内を上昇し、外部煙突(21)に入る。燃焼空気が断熱された内部煙突と外部煙突を流過するため、燃焼空気が高温に保持され吸気力が大きくなり、燃焼効率が向上すると共に、完全燃焼をもたらし、煤煙の発生を抑えることができる。燃焼に伴って外気導入ボックス内が負圧になるため、ダクト(６)を介して外気が外気導入ボックス内に吸引される。
【符号の説明】
【００１９】
(１)焚き口
(２)ヒートライザー
(３)調理部
(４)排煙部
(５)外気導入ボックス
(６)ダクト
(７)床面
(８)遮熱壁
(９)遮熱板
(10)燃料投入口
(11)横通路
(12)固定脚
(20)内部煙突
(21)外部煙突
(30)オーブン
(31)扉
(40)排煙筒
(41)連結空間
(50)燃料投入扉
(51)覗き窓
(52)扉
(53)外気導入口
(54)連結口
(55)隙間閉塞板
(56)開口
(57)フランジ
【図１】
0003208041.tif 000003
【図２】
0003208041.tif 000004
【図３】
0003208041.tif 000005
【図４】
0003208041.tif 000006
【図５】
0003208041.tif 000007
【図６】
0003208041.tif 000008
【図７】
0003208041.tif 000009
【図８】
0003208041.tif 000010